(57)【要約】【課題】記録媒体に記録されたファイルのどの位置からでも、簡単な操作によって指定された位置に移動して再生を開始する。【解決手段】再生を停止した状態において入力された早送りキーあるいは早戻しキーの操作回数をカウントする。操作回数が２回以上のとき、簡易再生の指示となる。この操作回数に応じて時間を指定する。再生停止時の現在位置から指定された時間だけ前後に移動して、指定された時間に対応する位置を検出すると、再生を開始する。【選択図】  図２
2004220727.tif 000002
【特許請求の範囲】
【請求項１】
記録媒体に記録されたデータを再生する再生手段と、時間を指定する入力手段と、現在位置の時間情報を基準として指定された時間だけ移動した位置から再生を開始するように前記再生手段を制御する制御手段とを備えたことを特徴とする再生装置。
【請求項２】
入力手段は、早送りキーあるいは早戻しキーを利用して、その操作回数によって時間を指定することを特徴とする請求項１記載の再生装置。
【発明の詳細な説明】
【０００１】
【発明の属する技術分野】
本発明は、記録媒体に記録された映像や音楽等のデータを再生する再生装置に関する。
【０００２】
【従来の技術】
ＤＶＤ、ハードディスク等のランダムアクセス可能な記録媒体に記録された映像や音楽等のデータを再生する再生装置において、早送りあるいは早戻しをしながら再生して、所望の場面をサーチすることがある。所望の場面にくると、早送りあるいは早戻しが停止され、その位置から再生が開始される。これらの動作は、ユーザの操作によって行われる。
【０００３】
これらの動作を簡単に実行するための技術が特許文献１〜３に記載されている。特許文献１では、数値キーと早送りキーが二重押しされたとき、所定時間移動した位置のデータを再生し、これを順次繰り返している。また、時間を指定すると、データの最初から指定時間後の位置のデータを再生する。特許文献２では、キーを押した時間を計測して、この時間に応じた再生位置のサーチを可能としている。特許文献３では、再生開始時間と再生終了時間を入力して、その区間を再生している。
【０００４】
【特許文献１】
特開平１０−１４４０６０（段落００１２、００１７、００２３）
【特許文献２】
特開平８−１８０６４８（段落００３４）
【特許文献３】
特開２００２−７４９１２（段落００１７、００１８）
【０００５】
【発明が解決しようとする課題】
上記の先行技術では、二重押ししたり、時間の入力に時間がかかったりして、操作が複雑である。また、再生中に所望の場面をサーチする場合、その場面の時間がわからないと、時間を指定しても確実にサーチできるとは限らない。
【０００６】
本発明は、上記に鑑み、所望の場面の時間がわからないような場合に、正確にサーチできなくても、簡単な操作によって所望の場面の近傍から再生可能な再生装置を提供することを目的とする。
【０００７】
【課題を解決するための手段】
本発明による課題解決手段は、記録媒体に記録されたデータを再生する再生手段と、時間を指定する入力手段と、現在位置の時間情報を基準として指定された時間だけ移動した位置から再生を開始するように前記再生手段を制御する制御手段とを備えたものである。
【０００８】
これによって、再生時における現在位置を基準にして、その前後の位置を指定すると、指定された位置に移動してから再生が開始される。再生したい位置は、再生を停止したときの現在位置に対応する時間を基準にして、入力された時間を加算あるいは減算して得られる時間に対応する位置である。したがって、所望の場面の位置が正確にわからなくても、おおよその時間を入力することによって、所望の場面の近傍からの再生が可能となる。
【０００９】
時間を入力するとき、既存の早送りキーあるいは早戻しキーを利用する。これらのキーを複数回操作したときに、上記の再生が実行される。そして、その操作回数に応じて時間を指定する。これの代わりに、連続して操作したときの時間に応じて時間を指定してもよい。しかし、操作回数によって時間を指定すれば、どのくらいの時間を指定したのか感覚的にわかりやすいので、入力手段として好ましい。
【００１０】
【発明の実施の形態】
本発明の一実施形態の再生装置を図１に示す。本記録再生装置は、ハードディスク、ＤＶＤ等のランダムアクセス可能な記録媒体１に記録されたデータを読み出して、データの伸長等の映像処理を行う再生部２と、オンスクリーン表示用の映像信号を生成するオンスクリーン表示（ＯＳＤ）制御部３と、再生部２およびＯＳＤ制御部３から出力された映像信号をモニタ、テレビ等の表示装置４に表示できるように信号処理を行う表示制御部５と、リモコン６とその受信部７とからなる入力部と、入力部からの入力信号に基づいて映像を再生するために各部を制御するマイコンからなる制御部８とを備えている。
【００１１】
ここで、データは記録媒体１に時系列的に記録され、１つのファイルが形成される。このファイルに対応してナビゲーション情報も記録される。ナビゲーション情報には、最初のデータから最後のデータまでの記録位置を示す位置情報が含まれている。この位置情報は、１つのファイルにおける再生時間に対応している。すなわち、位置情報を時間情報に変換することによって、時間により再生位置を特定することができる。
【００１２】
制御部８は、早送り再生（ＣＵＥ）、早戻し再生（ＲＥＶ）、スロー再生（ＳＬＯＷ）、コマ送り（ＳＫＩＰ）といった通常の再生とは異なる速度で再生する特殊再生の１つとして、現在位置から指定された位置に移動して、その位置から再生を行う簡易再生の機能を有する。そのために制御部８は、リモコン６から簡易再生の指示があるか判断するキー判断処理部９と、リモコン６からの入力信号に基づいて指定された時間に対応する位置を演算する時間計算処理部１０と、現在位置から指定された位置に移動して、再生を開始するように再生部２を制御する再生制御部１１とを備える。
【００１３】
キー判断処理部９では、リモコン６の特定のキーが通常とは異なる操作をされたとき、簡易再生の指示であると判断する。すなわち、早送りキー１２あるいは早戻しキー１３が複数回操作されたときに、簡易再生を開始する。これらのキー１２、１３が１回操作された場合は、通常の早送りあるいは早戻しの動作が行なわれる。そして、操作回数によって、時間が指定される。すなわち、１回操作するごとに一定時間を加算していく。なお、この一定時間は任意に設定できる。時間計算処理部１０では、操作回数をカウントして、指定時間を算出し、現在位置に対応する時間から指定時間だけ移動した位置を算出する。再生制御部１１では、再生部２を制御して、指定された位置からデータを読み出して、再生を開始する。
【００１４】
簡易再生を実行するときの手順を図２に基づいて説明する。再生停止状態において、早送りキー１２あるいは早戻しキー１３が操作されると、その操作回数をカウントする。操作回数が２回以上のとき、簡易再生の指示であると判断する。操作回数が２回ならば３０分、３回ならば１時間といったように、１回の操作ごとに３０分ずつ加算していき、指定された時間ｎを確定し、メモリに一時保存する。
【００１５】
早送りキー１２が操作された場合、現在のカウンタ値からｎだけ加算されたカウンタ値に対応する位置が指定された位置となる。例えば、指定された時間が３０分のとき、現在のカウンタ値が１ｈ４５ｍ５５ｓとすると、指定されたカウント値は２ｈ１５ｍ５５ｓとなる。また、早戻しキー１３が操作された場合、現在のカウンタ値からｎだけ減算されたカウンタ値に対応する位置が指定された位置となる。例えば、指定された時間が３０分のとき、現在のカウンタ値が１ｈ４５ｍ５５ｓとすると、指定されたカウント値は１ｈ１５ｍ５５ｓとなる。
【００１６】
このカウント値に対応する位置情報に基づいて記録媒体１に記録されたデータを検索して、再生を開始する位置を検出する。その後、メモリのｎをクリアして、図３に示すように、現在の再生位置から３０分早送りされた位置から再生を開始する。
【００１７】
なお、再生中に早送りキー１２あるいは早戻しキー１３が複数回操作された場合、早送り再生あるいは早戻し再生の速度が可変される。
【００１８】
このように、時間を指定することによって、早送りあるいは早戻しされた位置から再生を開始できるので、所望の場面の位置がわからなくても、おおよその位置がわかっていれば、簡単な操作によって所望の場面をサーチすることができる。例えば、１時間の番組を連続して記録した記録媒体１では、複数の番組が１つのファイルとして記録される。そのため、番組ごとに頭出しすることができない。このような場合、ファイルの最後の位置において上記のように時間を指定することによって、簡単に見たい番組を最初から再生することができる。
【００１９】
他の実施形態として、時間を直接入力して、再生したい位置を指定する。すなわち、特定キーの操作に連続する数値キー１４の操作により、入力された時間に基づいて現在位置から指定された位置に移動して、簡易再生を実行する。キー判断処理部９では、リモコン６の早送りキー１２あるいは早戻しキー１３が操作され、所定時間内に数値キー１４からの入力があるか検出し、入力があったとき簡易再生の指示であると判断する。早送りキー１２あるいは早戻しキー１３の操作に続いて、所定時間内に数値キー１４からの入力がなければ、通常の早送りあるいは早戻しの動作が行なわれる。そして、数値キー１４によって入力された数値が、指定された時間とされる。時間計算処理部１０では、現在位置に対応する時間から指定時間だけ移動した位置を算出する。再生制御部１１では、再生部２を制御して、指定された位置からデータを読み出して、再生を開始する。
【００２０】
この簡易再生の手順を図４に基づいて説明する。再生停止状態において、早送りキー１２あるいは早戻しキー１３が操作されると、タイムカウンタを所定時間、例えば５秒に設定する。数値キー１４からの入力があるか検出する。所定時間内に入力がなければ、通常の早送りあるいは早戻しを行う。所定時間内に入力があると、簡易再生の指示であると判断し、タイムカウンタをクリアする。入力された数値を指定された時間ｎとし、メモリに一時保存する。
【００２１】
早送りキー１２が操作された場合、現在のカウンタ値からｎだけ加算されたカウンタ値に対応する位置が指定された位置となる。また、早戻しキー１３が操作された場合、現在のカウンタ値からｎだけ減算されたカウンタ値に対応する位置が指定された位置となる。
【００２２】
このカウント値に対応する位置情報に基づいて記録媒体１に記録されたデータを検索して、再生を開始する位置を検出する。その後、メモリのｎをクリアして、図５に示すように、現在の再生位置から指定された時間、例えば４５分早送りされた位置から再生を開始する。
【００２３】
このように、時間を直接指定することによって、早送りあるいは早戻しされた位置から再生を開始できるので、簡単な操作によって所望の場面からの再生をすばやく行える。
【００２４】
なお、本発明は、上記実施形態に限定されるものではなく、本発明の範囲内で上記実施形態に多くの修正および変更を加え得ることは勿論である。再生装置は、記録機能を有した機器であってもよい。記録媒体は、ＭＤ、ＣＤ、半導体メモリ、磁気テープとしてもよい。なお、磁気テープにおける位置情報は、映像信号とともに記録されるコントロール信号に含まれるカウンタ値を利用する。磁気テープを簡易再生する場合、指定された時間だけ早送りあるいは早戻しされるので、頭出し信号に関係なく自由に所望の位置から再生できる。なお、ＤＶＤやハードディスクの場合でも、チャプタ信号に関係なく再生できる。
【００２５】
【発明の効果】
以上の説明から明らかな通り、本発明によると、現在の位置を基準にして指定の時間だけ移動した位置からの再生を簡単な操作によって行える。したがって、所望の場面の正確な位置がわからなくても、おおよその見当をつけた位置を指定すれば、所望の場面の近傍から再生可能となるので、サーチに時間をかける必要がなくなる。
【００２６】
また、早送りキーや早戻しキー等の既存のキーを用い、記録媒体に記録された位置情報を利用することにより、コストアップすることなく、簡易再生の機能を付加でき、再生装置の操作性を高めることができる。
【図面の簡単な説明】
【図１】本発明の一実施形態の再生装置の概略ブロック図
【図２】簡易再生実行時のフローチャート
【図３】簡易再生の再生位置の移動例を示す図
【図４】他の実施形態における簡易再生実行時のフローチャート
【図５】簡易再生の再生位置の移動例を示す図
【符号の説明】
１    記録媒体
２    再生部
４    表示装置
５    表示制御部
６    リモコン
８    制御部
１２    早送りキー
１３    早戻しキー
１４    数値キー
【図１】
2004220727.tif 000003
【図２】
2004220727.tif 000004
【図３】
2004220727.tif 000005
【図４】
2004220727.tif 000006
【図５】
2004220727.tif 000007